(57)【特許請求の範囲】
【請求項１】
青色発光素子と黄色蛍光体を用いて擬似白色光を発する光源と、
前記光源から入射した光を出射面から出射する導光体と、
前記光源からの光のうち、５５０ｎｍ〜６２０ｎｍの波長領域の光を吸収し、それ以外の波長領域の可視光を透過する波長選択層と、を備え、
前記光源が、青色発光ピークの高さを１とした場合に黄色発光ピークの高さが０．２８以上である発光スペクトルを持つ黄色味ＬＥＤであることを特徴とする照明装置。
【請求項２】
前記青色発光素子は、４５０ｎｍ以下の波長領域に発光ピークを持つことを特徴とする請求項１に記載の照明装置。
【請求項３】
前記光源が、色度ｘ＝０．２９以上，色度ｙ＝０．２７以上の色度ｘｙを持つ黄色味ＬＥＤであることを特徴とする請求項２に記載の照明装置。
【請求項４】
前記波長選択層には、５９０ｎｍに吸収ピークを持つ色吸収色素が含まれることを特徴とする請求項１〜３のいずれか一項に記載の照明装置。
【請求項５】
前記波長選択層が、アザポルフィリン系、シアニン系、スクアリリウム系、フタロシアニン系のいずれかの色素を含むことを特徴とする請求項４に記載の照明装置。
【請求項６】
前記導光体の出射面上に拡散フィルムを備え、前記波長選択層が前記拡散フィルムに設けられたことを特徴とする請求項４または請求項５に記載の照明装置。
【請求項７】
前記拡散フィルムは、透明基材と、前記透明基材の上面に設けられた拡散層と、前記透明基材の下面に設けられた密着防止層を備え、
前記波長選択層が前記密着防止層の下面に設けられたことを特徴とする請求項６に記載の照明装置。
【請求項８】
前記拡散フィルムは、透明基材と、前記透明基材の上面に設けられた拡散層と、前記透明基材の下面に設けられた密着防止層を備え、
前記密着防止層と前記拡散層の少なくとも一方に前記色吸収色素を混合することにより前記波長選択層として機能させたことを特徴とする請求項６に記載の照明装置。
【請求項９】
前記波長選択層には、４９０ｎｍ±２０ｎｍに吸収ピークを持つ第二の色吸収色素、または青色光を励起光として５３０ｎｍ±２０ｎｍに発光ピークを持つ緑色光を発光する緑蛍光材、または青色光を励起光として６３０ｎｍ±２０ｎｍに発光ピークを持つ赤色光を発光する赤蛍光材のいずれか１つが波長変換材として含まれたことを特徴とする請求項４〜８のいずれか一項に記載の照明装置。
【請求項１０】
前記波長選択層が、前記光源と前記導光体の間に設けられたことを特徴とする請求項１〜５のいずれか一項に記載の照明装置。
【請求項１１】
青色発光素子と黄色蛍光体を用いて擬似白色光を発する光源と、
前記光源から入射した光を出射面から出射する導光体と、
前記光源からの光のうち、５５０ｎｍ〜６２０ｎｍの波長領域の光を吸収し、それ以外の波長領域の可視光を透過する波長選択層と、
前記出射面の上方に配置され、ＲＧＢのカラーフィルタを持つ非自発光型の表示素子を備え、
前記光源が、青色発光ピークの高さを１とした場合に黄色発光ピークの高さが０．２８以上である発光スペクトルを持つ黄色味ＬＥＤであり、
前記波長選択層が、前記光源と前記表示素子の間の光路内に設けられたことを特徴とするカラー表示装置。
【請求項１２】
前記表示素子のＢ（青色）フィルタに入光する光量をＧ（緑色）フィルタとＲ（赤色）フィルタに入光する光量より減らすことにより、該カラー表示装置の色味を黄色味にすることを特徴とする請求項１１に記載のカラー表示装置。
【請求項１３】
前記青色発光素子は、４５０ｎｍ以下の波長領域に発光ピークを持つことを特徴とする請求項１１または請求項１２に記載のカラー表示装置。
【請求項１４】
前記光源が、色度ｘ＝０．２９以上，色度ｙ＝０．２７以上の色度ｘｙを持つ黄色味ＬＥＤであることを特徴とする請求項１３に記載のカラー表示装置。
【請求項１５】
前記波長選択層には、５９０ｎｍに吸収ピークを持つ色吸収色素が含まれることを特徴とする請求項１１〜１４のいずれか一項に記載のカラー表示装置。
【発明の詳細な説明】
【技術分野】
【０００１】
本発明は、平面発光型の照明装置に関し、特に、光源に擬似白色ＬＥＤを用いた照明装置及びこれを備えるカラー表示装置に関する。
【背景技術】
【０００２】
近年、携帯電話やモバイルコンピュータ等に、少ない消費電力で、高精彩カラー画像を表示できる液晶表示装置が用いられている。液晶表示装置には、それ自体は発光しない非自発光型の表示素子を用いて画像が表示されるため、照明装置が必要となる。特に、携帯電話の液晶表示装置では、擬似白色ＬＥＤを光源としたバックライトが照明装置として広く用いられている。擬似白色ＬＥＤは、青色光を発光するＬＥＤと青色光で励起され黄色光を蛍光する黄色蛍光体を分散した樹脂を組み合わせた構成である。ＬＥＤが発光する青色光と蛍光体によって波長変換された黄色光とは補色の関係にあるので、この２種類の光が混色すると擬似的な白色光が得られる（例えば、特許文献１の図１を参照）。そして、液晶表示装置は、この擬似白色ＬＥＤから発光された光と、液晶パネル内に設けられたＲＧＢのカラーフィルタと、液晶素子のスイッチング機能を利用して、カラー画像を表示する仕組みになっている。
【０００３】
さらに、このような擬似白色ＬＥＤを用いた表示装置で、カラーフィルタで吸収される波長の光によって励起し、カラーフィルタを透過する波長の光を発光する蛍光体を、導光体の出射面と表示パネルの間に設けて、光源からの光の利用効率を向上させることが知られている（例えば、特許文献２の図１を参照）。
【先行技術文献】
【特許文献】
【０００４】
【特許文献１】特開平１０−１０７３２５号公報
【特許文献２】特開２００６−３３８９０１号公報
【発明の概要】
【発明が解決しようとする課題】
【０００５】
上述の擬似白色ＬＥＤでは、青色光と黄色光を混色して白色光を得ているが、その波長分布は４５０ｎｍ前後をピークとする波長範囲が狭小な青色光と５６０ｎｍ付近をピークとするブロードな黄色光で構成されている。図１１に、液晶パネル用カラーフィルタの分光透過率を示す。一般に、液晶パネルに用いられるＲＧＢのカラーフィルタが透過する波長のピークは、青（Ｂ）が４５０ｎｍ、緑（Ｇ）が５３０ｎｍ、赤（Ｒ）が６００ｎｍである。このＲＧＢのカラーフィルタはピーク波長の光のみ透過するのではなく、ピーク波長の前後の光も透過する特性を持っている。そのため、青と緑のフィルタの中間波長領域４８０ｎｍ〜５１０ｎｍの光は、青フィルタからも緑フィルタからも透過し、緑と赤のフィルタの中間波長領域５７０ｎｍ〜５９０ｎｍ付近の光は、緑フィルタからも赤フィルタからも透過する。これら２種類の中間波長領域の光が照明光に含まれる場合、表示装置の色再現性は低下してしまう。ＲＧＢの各カラーフィルタの透過特性が重複しないようにすれば、不要な中間波長領域を含まず高い色再現性を維持できる。しかし、そのためにはカラーフィルタの厚みを厚くする、カラーフィルタに使用する顔料を変更する必要があり、既存の製造工程の変更や照明光の利用効率の低下などの問題が生じる。
【０００６】
また、より簡便な対策としては、ＲＧＢの各波長に発光ピークを持つ三波長ＬＥＤと呼ばれる光源を用いた照明装置を使用する方法がある。三波長ＬＥＤは青色発光素子を励起光とし、緑色光を発光する緑蛍光体と赤色光を発光する赤蛍光体をＬＥＤパッケージにまとめたものが代表的である。この三波長ＬＥＤは青色発光素子からの光を、緑蛍光体と赤蛍光体のそれぞれが励起光として使用するため、黄色蛍光体１種類を使用する擬似白色ＬＥＤと比較して発光効率が低いという問題点がある。そのため、三波長ＬＥＤを照明装置の光源として使用した場合、輝度の点で擬似白色ＬＥＤに大きく劣ってしまう。
【０００７】
そこで、本発明は、擬似白色ＬＥＤを用いた照明装置の発光分布を、三波長ＬＥＤを用いた照明装置の発光分布に近づけることを目的とする。
【課題を解決するための手段】
【０００８】
照明装置の光源に青色発光素子と黄色蛍光体を含む擬似白色ＬＥＤを使用し、光源と照明装置の照射面の光路中に、特定波長（５５０ｎｍ〜６２０ｎｍ）の光を吸収する波長選択層を設ける。波長選択層には、特定波長（５５０ｎｍ〜６２０ｎｍ）の光を吸収する色吸収色素が含まれており、この色素として、アザポルフィリン系、シアニン系、スクアリリウム系、もしくはフタロシアニン系の色素が例示できる。
【０００９】
さらに、光源の擬似白色ＬＥＤには黄色味のＬＥＤを用いてもよい。これにより、波長選択層のために、青色側に色調が変化するのを防ぐことができる。
【００１０】
さらに、４８０ｎｍ〜５１０ｎｍの波長光を減少するために、発光ピーク波長が４５０ｎｍ以下の青色発光素子を擬似白色ＬＥＤに用いてもよい。
【００１１】
また、本発明の表示装置は、上述のいずれかの構成の照明装置の上方に、ＲＧＢで構成されたカラーフィルタを備える非自発光型の表示素子を配置する構成とした。
【発明の効果】
【００１２】
本発明の照明装置は、特定波長（５５０ｎｍ〜６２０ｎｍ）の光を吸収する波長選択層が設けられているので、緑色領域と赤色領域の中間の波長領域がカットされる。これにより、擬似白色ＬＥＤを用いた照明装置の発光分布を、三波長ＬＥＤを用いた照明装置の発光分布に近づけることができる。
【図面の簡単な説明】
【００１３】
【図１】実施例１のカラー表示装置の断面構成を示す模式図である。
【図２】実施例１に用いた波長選択フィルムの断面構成を示す模式図である。
【図３】擬似白色ＬＥＤの分光スペクトルを示す図表である。
【図４】実施例１で用いた波長選択フィルムの分光透過率を示す図表である。
【図５】実施例１の照明装置の出射光の分光スペクトルを示す図表である。
【図６】実施例２で用いた波長選択フィルムの断面構成を示す模式図である。
【図７】実施例２で用いた波長選択フィルムの断面構成を示す模式図である。
【図８】実施例３のカラー表示装置の断面構成を示す模式図である。
【図９】実施例４で用いた波長選択フィルムの断面構成を示す模式図である。
【図１０】実施例４で用いた波長選択フィルムの断面構成を示す模式図である。
【図１１】液晶パネルのＲＧＢカラーフィルタの分光透過率を示す図表である。
【図１２】透過型液晶パネルの断面構成を示す模式面図である。
【図１３】実施例５のカラー表示装置の分光スペクトルを示す図表である。
【発明を実施するための形態】
【００１４】
本発明の照明装置は、青色発光素子と黄色蛍光体を用いて擬似白色光を発する光源と、光源からの光を出射面に導いて出光させる導光体を備える。さらに、光源からの光のうち５５０ｎｍ〜６２０ｎｍの波長領域を吸収し、それ以外の可視光の波長領域の光を透過する波長選択層が設けられる。波長選択層は５９０ｎｍ付近に最大吸収ピークを持つ色吸収色素を含んでいる。このような色素として、アザポルフィリン系、シアニン系、スクアリリウム系、もしくはフタロシアニン系の色素が例示できる。このような構成により、緑色領域と赤色領域の中間の波長領域がカットされるため、擬似白色ＬＥＤの照明装置の発光分布を、三波長ＬＥＤ型の照明装置の発光分布に近づけることができる。導光体の出射面上に拡散フィルムが設けられた構成では、この波長選択層をこの拡散フィルムに設けることができる。
【００１５】
ここで、擬似白色ＬＥＤに含まれる黄色蛍光体を通常より多くすることが好ましい。色吸収色素は５９０ｎｍ付近に最大吸収ピークを持っているため、発光色が青み方向にシフトしてしまう。そこで、黄色蛍光体の含有量が多い黄色味ＬＥＤを光源に用いると、波長選択層により青み方向へシフトした色味を元の方向に戻すことができる。
【００１６】
さらに、緑色領域と青色領域の中間波長領域をカットするために、擬似白色ＬＥＤに発光ピーク波長が４５０ｎｍ以下の青色発光素子を用いることが好ましい。このような構成により、波長４８０ｎｍ〜５１０ｎｍの光を減らすことができるため、擬似白色ＬＥＤの照明装置の発光分布を、三波長ＬＥＤ型の照明装置の発光分布にさらに近づけることができる。
【００１７】
また、本発明の表示装置は、上述の構成の照明装置の出射面側にＲＧＢカラーフィルタを持つ非自発光型の表示素子が配置された構成であり、光源から表示素子までの光路中のどこかに波長選択層が設けられている。これにより、表示素子のカラーフィルタのＲとＧの中間の波長領域に発光スペクトルを持たない照明装置を用いることになるので、輝度・色味を犠牲にせずに、表示素子の色再現性を向上させることができる。
【００１８】
さらに、表示素子のＢ（青色）フィルタに入光する光量を、Ｇ（緑色）フィルタ及びＲ（赤色）フィルタに入光する光量より減らすことにより、該カラー表示装置の色味を黄色側にすることができる。このとき、青色発光素子に、４５０ｎｍ以下の波長領域に発光ピークを持つＬＥＤを用いても良い。また、光源として、色度ｘ＝０．２９以上，色度ｙ＝０．２７以上の色度ｘｙを持つ黄色味ＬＥＤ、または、青色発光ピークの高さを１とした場合に黄色発光ピークの高さが０．２８以上である発光スペクトルを持つ黄色味ＬＥＤを用いても良い。また、波長選択層に、５９０ｎｍに吸収ピークを持つ色吸収色素を含ませても良い。
【００１９】
以下に、表示素子として液晶パネルを用いたカラー表示装置の実施例について、図面を用いて具体的に説明する。
【実施例１】
【００２０】
図１は、本実施例のカラー表示装置の断面構成を示す模式図である。図示するように、照明装置の導光板４の照射面上に波長変換フィルム１を介して液晶パネル２が配置されている。ここでは、照明装置と液晶パネル２の間に一対のプリズムシート６が設けられている。波長変換フィルム１には、５５０ｎｍ〜６２０ｎｍの波長領域を吸収し、残りの波長領域を透過する波長選択層が設けられている。光源３は、ＹＡＧ等の黄色蛍光体を混合した樹脂を青色ＬＥＤにポッティングした構成の擬似白色ＬＥＤである。導光体４は、光源３からの入光を導いて出光面から出射させて面発光する。ポリカーボネート、アクリル、ゼオノアやアートン等の透明樹脂剤を射出成型することによって導光体４を形成する。光源３からの光が導光体４の内部に効率良く入光するために、導光体４の入光面に光を散乱させる微細なプリズム加工を施してもよい。さらに、導光体４からの出光効率を高めるため、導光体４の出光面に拡散処理を施したり、プリズムを形成したりしてもよい。また、導光体の裏面（すなわち、出光面と反対側の面）には、光学設計に基づいて反射体が配置され、出光面の輝度分布が均一になるように設計されている。さらに、導光体４の裏面側に反射板５が配置されている。反射板５は導光体４から一度漏れた光を再度導光体側に戻すため、光の利用効率が向上する。ここでは、銀やアルミを蒸着した反射板５を用いて正反射させてもよいし、反射板５に白色ＰＥＴ等を用いて拡散反射させてもよい。一般的に、小型の製品には銀反射板を、大型の製品には白色ＰＥＴを用いることが多い。より反射効率を高めるために誘電体多層膜で形成された反射板を使用してもよい。
【００２１】
導光体４から出光した光は、波長選択フィルム１とプリズムシート６を通って液晶パネル２を正面から照らす。波長選択フィルム１を通過した光は、光源３から発光された光に比べ５５０ｎｍ〜６２０ｎｍの波長領域の成分が減少している。このように、照明装置から出射された光は液晶パネル２を通り、画像の表示がなされる。図１には示されていないが、液晶パネル２を構成する一方の基板には、青色光を透過する着色層、緑色光を透過する着色層、赤色光を透過する着色層で構成されたカラーフィルタが形成されている。
【００２２】
図２に、波長選択フィルム１の断面構成を模式的に示す。波長選択フィルム１は、拡散フィルム８と波長選択層７で構成される。拡散フィルム８はＰＥＴ等の透明基材１０の表面に拡散層１１が設けられた構成である。拡散層１１は液晶パネル２に対向するように配置される。拡散層１１は、透明な樹脂に１〜３０μｍ程度の直径のアクリルやシリカ等のビーズを分散したインクをコーター等で印刷して作製される。さらに、拡散フィルム８には、拡散層１１が設けられた面と反対の面に、貼りつき防止のための密着防止層１２が形成されている。図示するように、この密着防止層１２の表面に波長選択層７が形成されている。
【００２３】
波長選択層７は光吸収色素が微量添加された樹脂であり、特定波長（５５０ｎｍ〜６２０ｎｍ）の光を吸収し、これ以外の波長領域を透過する。ここでは、波長選択層７に透明ビーズ９が混合されている。光吸収色素は５９０ｎｍ付近に最大吸収ピークを持ち、本実施例ではアザポルフィリン系色素を用いた。色素を混合する樹脂には透過率９０％以上の高い透明性を有することが望ましく、アクリル系の樹脂が適している。透明ビーズ９は、直径１〜３０μｍ程度のアクリルやシリカ等のビーズであり、導光体４と波長選択層７の密着防止のために設けられている。透明ビーズ９の樹脂内の含有量は、樹脂固形分に対して０．５％程度が望ましい。
【００２４】
本実施例の波長選択層７を用いた波長選択フィルム１の分光透過率を図４に示す。本実施例の波長選択層７は５９０ｎｍ付近に最大吸収ピークを持つアザポルフィリン系色素を含んでいるため、波長選択フィルム１は５９０ｎｍ付近の光を吸収する。そのため、波長選択フィルム１を介すると青みがかった色に観察される。そこで、一般的な擬似白色ＬＥＤよりも黄色蛍光体を多く含んだ樹脂を用いてポッティングした黄色味ＬＥＤを光源として用いることとした。その場合、黄色蛍光体の使用量が多いため、一般的な擬似白色ＬＥＤよりも５６０ｎｍ付近をピークとする黄色光スペクトルが多くなる。そのため、波長選択フィルム１により青み方向へシフトした色味を元の方向に戻すことができる。また、人間が感じる波長毎の明るさを示した比視感度曲線は約５５０ｎｍをピークとしたガウス分布であり、ピークに近い黄色光スペクトルが多い方が明るく感じられる。したがって、波長選択フィルム１の吸収により損失した輝度を、黄色味ＬＥＤの輝度上昇効果が補うこととなる。
【００２５】
ここで、擬似白色ＬＥＤの分光スペクトルを図３に示す。一般的な擬似白色ＬＥＤの分光スペクトルをスペクトルＡに、本実施例で使用する擬似白色ＬＥＤの分光スペクトルをスペクトルＢに示す。本実施例で使用した擬似白色ＬＥＤは、スペクトルＡで示した従来の擬似白色ＬＥＤとは以下の２点で大きく異なっている。一つは、発光ピークが４５０ｎｍ以下の青色発光素子を用いている。そのため、緑色領域と青色領域の中間の波長成分を減少させることができる。すなわち、４８０ｎｍ〜５１０ｎｍの光をカットするため、照明装置の発光分布を、三波長ＬＥＤ型の照明装置の発光分布にさらに近づけることができる。このような構成の擬似白色ＬＥＤは、黄色蛍光体の使用量が多いため、一般的な擬似白色ＬＥＤよりも５６０ｎｍ付近をピークとする黄色光成分が多くなっている。擬似白色ＬＥＤの色度が、色度ｘ＝０．２９以上、色度ｙ＝０．２７以上となるように、黄色蛍光体の量を設定することが望ましい。もしくは擬似白色ＬＥＤの分光スペクトルが、青色発光ピークの高さを１としたときに黄色発光ピークの高さが０．２８以上となるように、黄色蛍光体の量を設定することが望ましい。なお、本実施例で使用した擬似白色ＬＥＤは、色度座標上で色度ｘ＝０．３１、色度ｙ＝０．３０である。
【００２６】
本実施例では、図３のスペクトルＢで示した分光スペクトルの擬似白色ＬＥＤと図４に示した透過特性の波長選択フィルム１を組み合わせて照明装置を形成している。この照明装置の分光スペクトルを図５に示す。図示するように本実施例の照明装置の分光スペクトルは、４４０ｎｍ、５３０ｎｍ、６２０ｎｍに発光波長のピークがあり、青色と緑色の中間の波長領域４８０ｎｍ〜５１０ｎｍ、及び緑色と赤色の中間の波長領域５７０ｎｍ〜５９０ｎｍ付近のスペクトル光が低減している。この照明装置にカラーフィルタを持つ液晶パネルを搭載すると、図５のスペクトル光が、青，緑，赤の各カラーフィルタを透過するため、表示装置の色再現性を向上させることができる。以上のような構成により、従来の表示装置と同等の輝度，色度を維持したまま、色再現性を向上させることができる。
【実施例２】
【００２７】
本実施例は、波長選択フィルム１の構成が実施例１と異なっている。それ以外は、実施例１と同様であるため、重複する説明は省略する。図６、図７に本実施例で用いた波長選択フィルム１の断面構成を模式的に示す。図６に示した波長選択フィルム１は、透明基材１０の表面に設けられた拡散層１１に色吸収色素１７を混合させ、波長選択層として機能させている。図７に示した波長選択フィルム１は、透明基材１０の裏面に設けられた密着防止層１２に色吸収色素１７を混合させ、波長選択層として機能させている。どちらも機能的には図２に示した波長選択フィルム１と同等であるが、波長選択層７を独立して設けない分、厚みを増加せずに波長選択フィルムを構成できる。また波長選択層を印刷する工程が必要ないので、工数を増やすことがなく、既存の拡散フィルム製造工程をそのまま利用できる。本実施例の構成により、既存の拡散フィルムと寸法上でも差異がない波長選択フィルムを実現でき、実施例１と同様の特性で実施例１より薄い表示装置が実現できる。このとき、拡散層１１と密着防止層１２の両層に色吸収色素１７を分散させてもよい。
【実施例３】
【００２８】
本実施例の表示装置の断面構成を図８に模式的に示す。本実施例では、波長選択フィルムの配置位置が実施例１や実施例２と異なり、光源３と導光体４の間に波長選択フィルム１が設けられている。それ以外の構成は、実施例１や実施例２と同様に適用できるため、重複する説明は省略する。光源３から出る光のほぼ全ては入光面から導光体４に入るため、光源３と導光体４の間は光路が最も集中する場所となる。この場所に波長選択フィルム１を置くことにより、光源３からの光を効率良く波長選択フィルム１に照射させることができ、余分な波長領域が含まれない照明光を得ることができる。すなわち、本実施例では、液晶パネル２に照射される光には、液晶パネル２に用いられるカラーフィルタの各色の中間の波長領域が、できる限り含まれないようにできる。そのため、色再現性の高い表示装置が実現できる。
【００２９】
図２の波長選択フィルム１では、拡散フィルム８の透明基材１０を基材フィルムとして利用したが、光源３からの光を導光体４へ効率良く導くためには、波長選択フィルム１の基材フィルムにはヘイズの低い基材を使用した方が良い。波長選択フィルム１の基材フィルムとして、光を集光されるレンズ効果を持ったプリズムフィルムなどを用いることにより、より効率良く導光体４へ光を入射させることができる。
【実施例４】
【００３０】
本実施例で、波長選択フィルムの構成が実施例１と異なっている。その他の基本的な構成は同様であるため、重複する説明は適宜省略する。図９、図１０に本実施例で用いた波長選択フィルム１の断面構成を模式的に示す。本実施例では、波長選択層７に波長変換材２０を分散させている。波長選択層７は５５０ｎｍ〜６２０ｎｍに吸収ピークを持つ色吸収色素を含んでおり、さらに波長変換材２０が分散されている。このような構成によれば、液晶パネルに照射される光の色味を修正することができる。修正したい内容に応じて添加する波長変換材の種類を選択すればよい。図９は、波長変換材２０として４９０ｎｍ付近（４９０±２０ｎｍ）の波長を吸収する第二の色吸収色素を使用した波長選択フィルムの構成を示している。この構成では４９０ｎｍ付近の波長が吸収されるため、黄色方向へシフトすることとなる。図１０は、波長変換材２０として青色光を励起光として５３０ｎｍ付近（５３０±２０ｎｍ）に発光ピークを持つ緑蛍光材を使用した波長選択フィルムの構成を示している。この構成によれば、緑色方向へシフトすることとなる。また、図１０と同様の構成で、波長変換材２０として青色光を励起光として６３０ｎｍ（６３０±２０ｎｍ）付近に発光ピークを持つ赤蛍光材を使用してもよい。この構成によれば、赤色方向にシフトさせることができる。さらに、波長変換材２０と波長選択層の色吸収色素との分量比を調整することにより、所望する色度を持った照明装置が得られる。
【００３１】
ここで、４９０ｎｍ付近に吸収ピークを持つ色吸収色素としてシアニン系色素が挙げられる。５３０ｎｍ付近に発光ピークを持つ緑蛍光材料として、II族金属チオガレートと希土類ドーパントとからなる蛍光材、酸化物蛍光体と希土類ドーパント、Ｓｒ−ＳＩＯＮと希土類ドーパント、２，１，４，組成のシリケート蛍光体、あるいは、有機系の蛍光体が挙げられる。６３０ｎｍ付近に発光ピークを持つ赤蛍光材料として、ＣａＳやＳｒＳ等の硫化物や、酸化物、俗にカズンと呼ばれる蛍光体、あるいは、有機系の蛍光体が挙げられる。これらの波長変換材は、色吸収色素の場合は液晶パネルのカラーフィルタの中間波長領域に吸収ピークを持ち、蛍光材は液晶パネルのカラーフィルタの透過領域に発光ピークを持つため、色再現性に影響を及ぼさない。
【００３２】
本実施例の構成により、高い色再現性を維持した状態で表示装置の色味が調整可能な表示装置を実現できる。ここでは実施例１の波長選択フィルム１の構成で説明したが、実施例２、実施例３と同様の形態に適用できることは言うまでもない。
【実施例５】
【００３３】
実施例４では、波長選択層により生じる色シフトを、バックライト側で補正したが、本実施例では、波長選択層により生じる色シフトを液晶パネル側で補正することとした。図１２に、液晶パネルの断面構成を模式的に示す。携帯電話等に用いられる一般的な液晶パネルはＴＦＴ方式の透過型液晶パネルであり、上偏光板３１、上ガラス３２、上電極層３３、カラーフィルタ層３４、液晶層３５、下電極層３６、下ガラス３７、下偏光板３８で構成されている。下電極層３６には液晶層３５を制御するＴＦＴ素子が各表示画素に対応するように設けられており、上電極層３３と下電極層３６の間で電圧を印加することにより液晶層３５の状態を制御し、各表示画素を透過する光量が制御される。液晶層３５で調整された光はカラーフィルタ層３４へ入光される。カラーフィルタ層３４は、Ｒ（赤色）Ｇ（緑色）Ｂ（青色）の三色のフィルタと各色フィルタ間のブラックマトリクスで構成されており、各色のフィルタに入光する光を液晶層３５で調整することにより、様々な色を表現することができる。
【００３４】
この３色のフィルタのうち、Ｂフィルタの透過光量を抑制することにより、波長選択層の影響による青味よりにシフトした表示装置の色味を、黄色味側にシフトさせ、適正な色味に調整することができる。ノーマリーブラックの場合を具体的に説明すると、Ｂフィルタの位置に対応する液晶層（表示画素）に対して供給する印加電圧を、ＧフィルタとＲフィルタに対応する液晶層に供給する印加電圧より小さくすることにより、液晶分子のねじれ変化量を少なくし、透過する光量を少なくする。このように、Ｂフィルタへの入光量を減らすことにより、表示画像から青味成分を減らすことができる。
【００３５】
図１３は青成分調整の実施有無による表示装置の分光スペクトルを比較したグラフである。図１３は青成分の透過光量を８５％に抑制したものであり、表示装置の分光スペクトルの青色成分が低減し、図１３内に併記した色度値も青味よりの白色であったのが黄色味方向にシフトして改善されている。また、輝度値は約２％程度しか低下しておらず、測定誤差レベルの影響である。これは前述した比視感度曲線が約５５０ｎｍをピークとしたガウス分布であることに関係しており、青成分が４５０ｎｍ付近であるため輝度への影響が小さいためである。この方法はＧフィルタやＲフィルタにも適用できるが、青成分と比較して輝度への影響が大きいため、影響が許容されるかどうかを判断する必要がある。
【００３６】
本実施例の構成により、従来の液晶表示装置と同等の輝度，色度を維持したまま、波長選択層により色再現性を向上させた表示装置を実現できる。
なお、本実施例は、前述の実施例１〜３で説明した構成の場合にも適応できる。
【符号の説明】
【００３７】
１  波長選択フィルム
２  液晶パネル
３  光源
４  導光体
５  反射フィルム
６  プリズムシート
７  波長選択層
８  拡散フィルム
９  透明ビーズ
１０  透明基材
１１  拡散層
１２  密着防止層
１３  波長変換層
１７  色吸収色素
２０  波長変換材
３１  上偏光板
３２  上ガラス
３３  上電極層
３４  カラーフィルタ層
３５  液晶層
３６  下電極層
３７  下ガラス
３８  下偏光板
【図１】
0005764434.tif 000002
【図２】
0005764434.tif 000003
【図３】
0005764434.tif 000004
【図４】
0005764434.tif 000005
【図５】
0005764434.tif 000006
【図６】
0005764434.tif 000007
【図７】
0005764434.tif 000008
【図８】
0005764434.tif 000009
【図９】
0005764434.tif 000010
【図１０】
0005764434.tif 000011
【図１１】
0005764434.tif 000012
【図１２】
0005764434.tif 000013
【図１３】
0005764434.tif 000014